(57)【要約】外面と、内面と、外面と内面との間に延在し、互いに対して少なくともほぼ規則的なパターンで配置された複数の穴とを備えた外壁を備える点字ディスプレイ。点字ディスプレイは、複数の点字セルをさらに備え、各点字セルは、第１の外方位置と第２の外方位置との間で移動可能な少なくとも１つの触覚部材と、少なくとも１つの触覚部材を第１および第２の外方位置間で移動させる起動手段とをさらに備える。少なくとも１つの触覚部材は自由頂部を備え、各点字セルは触覚部材の内面近くに設置され、各触覚部材は、当該触覚部材が少なくとも第２の位置にある場合は、内面から外面の方向に上記穴の１つを通って延在し、触覚部材がその第１の位置にあるときの外面から触覚部材の自由頂部までの位置は、触覚部材がその第２の位置にあるときの外面から触覚部材の自由頂部までの位置とは異なり、１つの点字セル群の各点字セルは、一方では当該点字セルに作用し、他方では当該点字セルに隣接する位置で外壁に作用する接続によって外壁に取り付けられる。【選択図】図１
2011519058.tif 000002
【特許請求の範囲】
【請求項１】
外面と、内面と、前記外面と前記内面との間に延在し、互いに対して少なくともほぼ規則的なパターンで配置された複数の穴とを有する外壁を備えた点字ディスプレイであって、前記点字ディスプレイは複数の点字セルをさらに備え、各点字セルは、第１の外方位置と第２の外方位置との間で移動可能な少なくとも１つの触覚部材と、前記少なくとも１つの触覚部材を前記第１および第２の外方位置間で移動させる起動手段とを備え、前記少なくとも１つの触覚部材は自由頂部を備え、各点字セルは前記触覚部材の前記内面の近くに設置され、各触覚部材は、少なくとも前記触覚部材が前記第２の位置にある場合は前記内面から前記外面の方向に前記穴の１つを通って延在し、前記触覚部材がその第１の位置にあるときの前記外面から前記触覚部材の前記自由頂部までの位置は、前記触覚部材がその第２の位置にあるときの前記外面から前記触覚部材の前記自由頂部までの前記位置とは異なる点字ディスプレイにおいて、前記点字セルの一群の各点字セルは、一方では前記点字セルに作用し、他方では前記点字セルに隣接する位置で前記外壁に作用する接続によって前記外壁に取り付けられることを特徴とする点字ディスプレイ。
【請求項２】
前記点字セルの前記群の各点字セルについて、各触覚部材がその第１の位置にある場合、および前記触覚部材がその第２の位置にある場合は、前記触覚部材は前記内面から前記外面の方向に前記穴のうちの１つを通って延在することになることを特徴とする、請求項１に記載の点字ディスプレイ。
【請求項３】
前記点字セルの前記群の各点字セルについて、前記触覚部材がその第１の位置にある場合の前記触覚部材の前記自由頂部と前記外面との間の距離は、前記触覚部材がその第２の位置にある場合の前記触覚部材の前記自由頂部と前記外面との間の前記距離とは異なることになることを特徴とする、請求項１または２に記載の点字ディスプレイ。
【請求項４】
各点字セルはその起動手段を備えたハウジングを有し、各点字セルの前記少なくとも１つの触覚部材はそのハウジングから離れる方向に延在することを特徴とする、先行請求項の何れか１項に記載の点字ディスプレイ。
【請求項５】
各点字セルは、互いに対して規則的なパターンで配置された複数の触覚部材を備えることを特徴とする、先行請求項の何れか１項に記載の点字ディスプレイ。
【請求項６】
各点字セルは、その触覚部材によって複数の点字文字から１つの点字文字を選択的に形成するように構成されることを特徴とする、請求項５に記載の点字ディスプレイ。
【請求項７】
各点字セルによって一度に１つの文字を形成できることを特徴とする、請求項６に記載の点字ディスプレイ。
【請求項８】
前記規則的なパターンの複数の穴とこれらの穴を通って延在する前記複数の触覚部材とは、少なくとも１つの点字読み取り行を形成することを特徴とする、先行請求項の何れか１項に記載の点字ディスプレイ。
【請求項９】
前記点字セルの前記群の各点字セルについて、各点字セルは前記外壁に直接取り付けられることになることを特徴とする、先行請求項の何れか１項に記載の点字ディスプレイ。
【請求項１０】
前記点字セルの前記群の各点字セルについて、各点字セルは前記外壁の前記内面に直接接触することになることを特徴とする、先行請求項の何れか１項に記載の点字ディスプレイ。
【請求項１１】
前記点字セルの前記群の各点字セルについて、各点字セルはスナップ嵌合接続によって前記外壁に取り付けられることになることを特徴とする、請求項９または１０の何れか１項に記載の点字ディスプレイ。
【請求項１２】
頂壁は互いに並行に延在する第１および第２の長手方向縁部を前記内面の近くに備え、前記点字セルは前記縁部間に締め付けられることを特徴とする、請求項１１に記載の点字ディスプレイ。
【請求項１３】
前記点字セルは、前記複数の縁部と前記点字セルとの間に締め付け力をもたらす少なくとも１つのばね部材を備えることを特徴とする、請求項１２に記載の点字ディスプレイ。
【請求項１４】
前記外壁は基体と中間体とを備え、前記点字セルの前記群の各点字セルについて、前記点字セルは前記点字セルと前記基体との間に設置された前記中間体に取り付けられ、前記中間体は前記基体に取り付けられることになることを特徴とする、先行請求項の何れか１項に記載の点字ディスプレイ。
【請求項１５】
前記点字セルの前記群の各点字セルについて、各点字セルは前記中間体に直接接触することになることを特徴とする、請求項１４に記載の点字ディスプレイ。
【請求項１６】
前記点字セルの前記群の各点字セルについて、各点字セルはスナップ嵌合接続によって前記中間体に直接取り付けられることになることを特徴とする、請求項１４または１５に記載の点字ディスプレイ。
【請求項１７】
前記中間体は複数の穴を備え、前記触覚部材の各々が前記第２の位置にある場合、同じ１つの点字セルからの前記触覚部材は、前記中間体の同じ１つの穴を通って延在することを特徴とする、請求項５に記載の、かつ先行請求項１４〜１６の何れか１項に記載の点字ディスプレイ。
【請求項１８】
前記中間体の各穴に１つの点字セルの触覚部材のみが貫通延在できるように、前記中間体の各穴は１つの点字セルにのみ対応付けられることを特徴とする、請求項１７に記載の点字ディスプレイ。
【請求項１９】
前記中間体は条片の形態であることを特徴とする、先行請求項１４乃至１８の何れか１項に記載の点字ディスプレイ。
【請求項２０】
前記条片は金属条片であることを特徴とする、請求項１９に記載の点字ディスプレイ。
【請求項２１】
前記条片は前記基体の内面に直接あてがわれることを特徴とする、請求項２０に記載の点字ディスプレイ。
【請求項２２】
前記条片は接着テープによって前記基体の前記内面に取り付けられることを特徴とする、請求項２０に記載の点字ディスプレイ。
【請求項２３】
前記条片は接着剤によって前記基体の前記内面に直接取り付けられることを特徴とする、先行請求項２１乃至２２の何れか１項に記載の点字ディスプレイ。
【請求項２４】
前記条片と前記基体とを互いに締め付けるために、前記条片は前記基体の突起が貫通延在する複数の開口部を備えることを特徴とする、先行請求項１９乃至２３の何れか１項に記載の点字ディスプレイ。
【請求項２５】
前記少なくとも１つの点字読み取り行の長手方向が前記条片の長手方向に延在することを特徴とする、請求項８に記載の、かつ先行請求項１９乃至２４の何れか１項に記載の点字ディスプレイ。
【請求項２６】
前記条片がＵ字形状の断面を有するように前記条片は長手方向基部と、上方に延在する２つの長手方向脚部とを備え、前記点字セルは前記脚部の間に締め付けられることを特徴とする、先行請求項１９乃至２５の何れか１項に記載の点字ディスプレイ。
【請求項２７】
前記点字セルは、前記脚部と前記点字セルとの間に締め付け力をもたらすための少なくとも１つのばね部材を備えることを特徴とする、請求項２６に記載の点字ディスプレイ。
【請求項２８】
前記頂壁は複数の中間体を備え、複数の点字セルが各中間体に取り付けられることを特徴とする、先行請求項１４乃至２７の何れか１項に記載の点字ディスプレイ。
【請求項２９】
各点字読み取り行は複数の中間体に対応付けられることを特徴とする、請求項８および２８に記載の点字ディスプレイ。
【請求項３０】
前記外壁は前記点字ディスプレイのハウジングの一部を形成することを特徴とする、先行請求項の何れか１項に記載の点字ディスプレイ。
【請求項３１】
前記外壁は、前記点字ディスプレイの外側頂壁の一部を形成することを特徴とする、先行請求項の何れか１項に記載の点字ディスプレイ。
【請求項３２】
前記点字セルの前記群の各点字セルについて、各点字セルは前記外壁に個別に取り付けられることになることを特徴とする、先行請求項の何れか１項に記載の点字ディスプレイ。
【請求項３３】
前記接続は、前記点字セルの前記群の各点字セルを、例えば保守のために、前記外壁から取り外すことができ、その後に前記接続によって前記外壁に再び取り付けることができる接続であることを特徴とする、先行請求項の何れか１項に記載の点字ディスプレイ。
【請求項３４】
前記点字セルの前記群の各点字セルについて、各点字セルは両面接着テープによって前記外壁の前記内面に取り付けられることになることを特徴とする、請求項１に記載の点字ディスプレイ。
【請求項３５】
前記点字セルの前記群の各点字セルについて、各点字セルは接着剤によって前記外壁の前記内面に直接取り付けられることになることを特徴とする、請求項１または３４に記載の点字ディスプレイ。
【請求項３６】
前記点字セルの前記群の各点字セルについて、各点字セルは両面接着テープによって前記中間体に取り付けられることになることを特徴とする、請求項１４に記載の点字ディスプレイ。
【請求項３７】
前記点字セルの前記群の各点字セルについて、各点字セルは接着テープによって前記中間体に直接取り付けられることになることを特徴とする、先行請求項１４または３６の何れか１項に記載の点字ディスプレイ。
【請求項３８】
各点字セルは点字セルの前記群に属することを特徴とする、先行請求項の何れか１項に記載の点字ディスプレイ。
【発明の詳細な説明】
【技術分野】
【０００１】
本発明は、外面と、内面と、外面と内面との間に延在し、互いに対して少なくともほぼ規則的なパターンで配置された複数の穴とを備えた外壁を備える点字ディスプレイであって、複数の点字セルをさらに備え、各点字セルは、第１の外方位置と第２の外方位置との間で移動可能な少なくとも１つの触覚部材と、少なくとも１つの触覚部材を第１および第２の外方位置間で移動させる起動手段とを備え、少なくとも１つの触覚部材は自由頂部を備え、各点字セルは触覚部材の内面近くに設置され、各触覚部材は、当該触覚部材が少なくとも第２の位置にある場合は、内面から外面の方向に上記穴の１つを通って延在し、触覚部材がその第１の位置にあるときの外面から触覚部材の自由頂部までの位置は、触覚部材がその第２の位置にあるときの外面から触覚部材の自由頂部までの位置とは異なる点字ディスプレイに関する。
【背景技術】
【０００２】
このような点字ディスプレイは周知である。公知の点字ディスプレイは、一体に組み合わされた底壁と、頂壁と、直立した側壁とを基本的に備えたハウジングを有する。頂壁は、複数の穴が設けられた外壁を形成する。点字セルは互いに接続されて点字セル配列を形成する。これらの点字セルを接続するために、少なくとも第１および第２の開口部が各点字セルに設けられている。第１の螺刻端を第１の開口部の各々に通し、その後に第１の螺刻端の自由端にナットをねじ込むことによって、点字セル同士を横並びに互いに押し当てる。第２の螺刻端を第２の開口部の各々に通し、その後に第２の螺刻端の自由端にナットをねじ込むことによって点字セル同士を横並びに互いに押し当てる。その後、点字セルの配列を底壁に固定する。頂壁と底壁とは、頂壁と底壁とにそれぞれ接続される直立した側壁によって相互に固定される。
【０００３】
この公知の点字ディスプレイの欠点の１つは、各点字セルに第１および第２の開口部を設ける必要があることである。このため、点字ディスプレイが相対的にかさばる。さらに、個々の点字セルの公差のために、頂面（読み取り面）をいくつかの個別部分に分割する必要がある。すなわち、４０個のセルを有する点字読み取り装置の場合、複数の穴を有する頂面は、通常、４０個の個別部分に分割される。このやり方の短所の１つは、これらの個別部分が盲人ユーザに感知されうるので、読み取り精度を妨げうることである。
【０００４】
組み立てられた頂壁は、完全に平坦でないこともあり、したがってわずかな波状起伏を有しうる。この公知の点字ディスプレイのさらなる欠点は、点字セルの触覚部材の各々が第１の外方位置にある場合、触覚部材の自由頂部と頂壁の外面との間の距離が触覚部材ごとに異なりうることである。同様に、点字セルの触覚部材の各々が第２の位置にある場合、触覚部材の頂部と頂壁の外面との間の距離が触覚部材ごとに異なりうることである。このばらつきは、上記の波状起伏を有する頂壁外面に起因する。点字ディスプレイの場合、例えば、触覚部材が第１の位置にある場合、触覚部材の自由頂部は、頂壁の外面と同じ高さにあることが求められる。換言すると、その場合、視覚障害者は、この触覚部材が頂壁の対応する穴の中にあるために、この触覚部材を感知できない。ただし、頂壁の外面の波状起伏により、触覚部材が第１の外方位置にあるとき、この触覚部材が対応する穴から僅かに外に延在することもありうる。この場合、その第１の外方位置にある触覚部材と、その第２の外方位置にある触覚部材とを区別することがより困難になるため、点字ディスプレイを読み取る人間にとっては極めて紛らわしいことになりうる。
【発明の概要】
【課題を解決するための手段】
【０００５】
本発明の目的は、上記の各問題を克服できる点字ディスプレイを提供することである。本発明による点字ディスプレイは、各点字セルが、一方では点字セルに作用し、他方では点字セルに隣接する位置で外壁に作用する接続によって、外壁に取り付けられることを特徴とする。各点字セルが外壁に取り付けられるため、点字セルを螺刻端とナットとによって相互に接続する必要がなくなる。すなわち、第１および第２の開口部を削除しうるため、点字セルをよりコンパクトにできる。さらに、各点字セルが、一方では点字セルに作用し、他方では点字セルに隣接した位置で外壁に作用する接続によって、外壁に取り付けられるため、各点字セルを外壁の外面に対して同じ位置にすることができる。外壁の外面に波状起伏があったとしても、点字セルは単に外面に追従するため、触覚部材の各々が第１の外方位置にある場合、一方のアウトセット部材の頂部と他方の外面との間の距離は同じである。同じことは、点字セルの各触覚部材が第２の外方位置にある場合にも準用される。
【０００６】
本発明による点字ディスプレイのさらなる利点は、もたらされた問題に対する解決策が比較的安価であることである。これらの問題の１つに対するより直接的な解決策は、外壁の外面が完全に平坦であることを保証することであった。このような外壁にするには、極めてコストがかかりうる。比較的肉薄のプラスチック材料から外壁を製造することはできなくなり、代わりに比較的肉厚のプラスチック材料から、または金属から、製造せねばならなくなる。金属ハウジングの場合、湿気（凝縮）および温度（触れると冷たい）の問題が予想されうる。何れの場合も、外壁ひいては点字ディスプレイが比較的高価になるであろう。
【０００７】
好ましくは、各点字セルは、互いに対して規則的なパターンで配置された複数の触覚部材を備えることになる。
【０００８】
このようにすると、各点字セルの触覚部材によって複数の点字文字のうちの１つの点字文字が選択的に形成されるように、各点字セルを構成しうる。極めて実際的な一実施態様によると、規則的なパターンで配置された複数の穴とこれらの穴を通って延在する触覚部材とは、少なくとも１つの点字読み取り行を形成する。好ましくは、各点字セルは外壁に直接取り付けられることになる。個々の点字セルの定期保守の必要性により、好ましくは、点字セルと外壁との間の接続は非恒久的であることが求められる。各点字セルをスナップ嵌合接続によって外壁に直接取り付けることも可能である。これにより、点字ディスプレイの組み立てが極めて容易になり、点字と外壁との間の直接接続がもたらされる。さらに、このようなスナップ嵌合接続は、上記のような非恒久的な接続をもたらしうる。
【０００９】
一代替実施態様において、外壁は基体と中間体とを備え、各点字セルは点字セルと基体との間に設置される中間体に取り付けられ、中間体は基体に取り付けられる。外壁の内面は、基体の内面と中間体の内面とによって形成されうる。中間体によって覆われない本体の内面部分は、外壁の内面の一部を形成しうる。各点字セルを中間体の内面に直接接触させてもよい。
【００１０】
各点字セルをスナップ嵌合接続によって中間体に直接取り付けることも可能である。このようなスナップ嵌合接続も、上記のような非恒久的な接続をもたらしうる。
【００１１】
好ましくは、中間体に複数の穴が設けられ、同じ１つの点字セルの触覚部材の各々が第２の位置にある場合、これらの触覚部材は中間体の同じ１つの穴を通って延在することになる。
【００１２】
その場合、好ましくは、中間体の各穴を通って延在できる触覚部材が単一の点字セルの触覚部材であるように、中間体の各穴は単一の点字セルにのみ対応付けられることになる。中間体の各穴は、外壁の上記の各穴に対応する。
【００１３】
中間体は条片の形態であることが好ましい。条片は金属条片であるとより好都合である。条片を本体の内面に直接あてがうこともできる。条片は本体の内面に接着されることが好ましい。条片を外壁に互いに締め付けるために、本体の複数の突起が貫通延在する複数の開口部を条片に設けることも可能である。好ましくは、条片がＵ字形の断面を有するように、長手方向基部と上方に延在する２つの長手方向脚部とを条片に設け、点字セルを脚部間に締め付ける。これにより、点字セルと条片との間のスナップ嵌合接続が得られる。また、このようなスナップ嵌合接続は、上記のような非恒久的な接続をもたらす。その場合、中間体に複数の穴を設け、同じ１つの点字セルからの触覚部材の各々が第２の位置にある場合、これらの触覚部材が中間体の同じ１つの穴を通って延在することが好ましい。
【００１４】
極めて特殊な実施態様によると、複数の中間体が点字ディスプレイに設けられ、複数の点字セルが各中間体に取り付けられる。
【００１５】
これにより、各中間体を外壁の対応する穴に位置合わせできるため、穴のパターンが完全に規則的でない場合は、複数の中間体を用いてこれを補正することができる。
【００１６】
上記接続は、点字セル群の各点字セルを外壁から、例えば保守のために、取り外すことができ、その後に上記接続によって外壁に再度取り付けられるものであることが好ましい。その場合、接続の再使用が可能である。これは、上記のスナップ嵌合接続によって容易に構成できる。
【００１７】
図面を参照しながら、本発明の可能な実施形態のいくつかを以下に説明する。
【図面の簡単な説明】
【００１８】
【図１】本発明による点字ディスプレイの第１の実施形態の点字セルの可能な一実施形態を示す。
【図２】本発明による点字ディスプレイの製造中の外壁と直立した複数の側壁、並びに点字セルを示す。
【図３ａ】図１の点字セルを示す。
【図３ｂ】図２による点字ディスプレイの頂壁および外側側壁の断面を示す。
【図４ａ】図３ａの一部を詳細に示す。
【図４ｂ】図３ｂの一部を詳細に示す。
【図５ａ】相互に取り付けられる直前の図２の頂壁および点字セルを示す。
【図５ｂ】図５ａに示した点字セルおよび頂壁の断面を示す。
【図６ａ】組み立てられた図１の点字セルおよび頂壁を示す。
【図６ｂ】図６ａの点字セルおよび頂壁の断面を示す。
【図７ａ】頂壁の一代替実施形態を示す。
【図７ｂ】図７ａに示した頂壁に取り付けられた複数の点字セルを示す。
【発明を実施するための形態】
【００１９】
図１において、点字ディスプレイ１の一部は、外面４と内面６とを備えた外壁２を備える。点字ディスプレイは、直立した複数の側壁８をさらに備え、この例においては外壁２と直立した複数の側壁８とは第１のハウジング部分１０に一体化され、外壁２は点字ディスプレイのハウジングの一部を形成する。この例において、外壁は、点字ディスプレイの外側頂壁の一部をさらに形成する。点字ディスプレイは、第１のハウジング部分１０を閉じるための底壁１２を形成する第２のハウジング部分をさらに備える。この底壁は、模式的に網掛けで示されている。
【００２０】
外壁２は、外面２と内面６との間に延在する複数の穴１４を備える。これらの穴１４は、互いに対して少なくともほぼ規則的なパターンで位置付けられる。
【００２１】
点字ディスプレイは、複数の点字セル１６．ｉ（ｉ＝１〜４０）をさらに備える。この例においては、点字セル１６．１のみが示されている。点字セル１６．１（図２を参照）は、複数の触覚部材１８．ｊ（ｊ＝１，２，．．．８）を備える。各触覚部材は、触覚部材１８．１について示されているような第１の外方位置２０と、触覚部材１８．５について示されているような第２の外方位置２２との間で移動可能である。
【００２２】
各点字セルは、各触覚部材をそれぞれの第１および第２の外方位置間で移動させる起動手段（図示せず）をさらに備える。起動手段は、この例においては、点字ディスプレイのハウジング２４内に設置される。したがって、各点字セルは、起動手段を備えたハウジングを有し、各点字セルの少なくとも１つの触覚部材はそのハウジングから離れる方向に延在する。
【００２３】
さらに、各触覚部材は、自由頂部２６を有する。この例においては、触覚部材１８．３の自由頂部２６が示されている。
【００２４】
この例においては、各点字セル１６．ｉは、触覚部材１８．ｊが貫通延在する複数の穴３０を備えた金属製のサブハウジング２８を有する。金属製のサブハウジングは、矢印３６、３８で示されているように、互いに向かって撓みうる２つの相対する側壁を有する。したがって、両側壁を互いに向かって撓ませると、両側壁をばねで押し付けることができる。
【００２５】
図１および図２から明らかなように、複数の穴１４を８つの穴ごとに分割できる。この場合、８つの穴から成る各群は、１つの点字セルの触覚部材に対応する。このような１つの群は、図１において参照番号４０で示されている。
【００２６】
この例においては、このような群が４０個存在する。
【００２７】
外壁２は、第１の内縁部４２と第２の内縁部４４とをさらに備える。各縁部は、溝部４６を有する。さらに、各側壁３２、３４は、歯付き部４８を備える。
【００２８】
点字セル１６．１を点字ディスプレイに取り付けるために、点字セル１６．１を第１群の穴５０（図５ａおよび図５ｂを参照）に近付ける。図５ｂから分かるように、点字セル１６．１の相対する側壁３２、３４間の最大距離Ｄは、外壁２の相対する縁部４２、４４間の最小距離ｄより大きい。点字セル１６．１を方向５０に下降させることによってこれらの側壁が縁部４２、４４に接触すると、側壁３２、３４が互いに相手側に撓むため、距離Ｄが縮まる。相対する縁部４２、４４の溝部４６、４８は、相対する側壁３２、３４の相対する歯付き部４８、５０とのスナップ嵌合接続をもたらす。したがって、点字セル１６．１を方向５０に移動させることによって、各歯付き部４８は各溝部４６に嵌まり込む。この状態は、図６ａおよび図６ｂに示されている。この状態において、点字セル１６．１の触覚部材１８．ｊの各々は、穴群５０の穴１４のうちの１つを通って延在する。触覚部材が第１の位置にある場合、触覚部材は穴１４の外に延在しない。触覚部材が第２の外方位置にある場合、触覚部材は穴の外に延在する。
【００２９】
点字セル群の各点字セルについて、各触覚部材がその第１の位置にある場合、および各触覚部材がその第２の位置にある場合は、各触覚部材は内面から外面の方向に穴の１つを通って延在することになる。
【００３０】
この例においては、さらに、点字セル群の各点字セルについて、触覚部材がその第１の位置にある場合の触覚部材の自由頂部と外面との間の距離は、触覚部材がその第２の位置にある場合の触覚部材の自由頂部と外面との間の距離と異なることになる。
【００３１】
図６ｂに１つの触覚部材について示されているように、触覚部材がその対応する穴から外に延在している場合、その距離は正の距離であると定義される。触覚部材の頂部が外面２と同じ高さである場合、距離ｈはゼロであるといえる。これは、触覚部材がその第１の位置にある場合に当てはまりうる。ただし、触覚部材がその第１の位置にある場合、触覚部材との間の距離は、ｈ’で示されているように、負であると定義することもできる。換言すると、第１の触覚部材の自由頂部と外面との間の距離と第２の触覚部材の自由頂部と外面との間の距離とが異なる場合、外面からこれらの自由頂部までの位置は互いに異なる。
【００３２】
この例においては、各点字セルに８つの触覚部材が設けられている。これらの触覚部材は、互いに対して規則的なパターンで配置されている。したがって、各点字セルは、その触覚部材によって、複数の点字文字から１つの点字文字を選択的に形成するように構成されている。各点字セルは、一度に１つの文字のみを形成するように構成されている。
【００３３】
その後、他の点字セル１６．２〜１９．３９を、点字セル１６．１に関して説明したのと同様の方法で、外壁に取り付けてもよい。したがって、各点字セルは、一方では点字セルに作用し、他方では点字セルに隣接する位置で外壁に作用する接続によって、外壁に直接取り付けられることになる。さらに、各点字セルは外壁の内面に直接接触することになる。さらに、各点字セルは、スナップ嵌合接続によって、外壁に直接取り付けられることになる。この接続は、点字セル群の各点字セルを、例えば保守のために、外壁から取り外すことができ、その後に同接続によって外壁に再び取り付けることができるものである。
【００３４】
各点字セルを外壁の内面に直接接着することも可能である。その場合、スナップ嵌合接続を省いてもよい。各点字セルを両面接着テープによって外壁の内面に取り付けることも可能である。図２に示すように、テープを、例えば領域Ａ、Ｂ上に、延在させることができる。
【００３５】
４０個の点字セル１６．１〜１６．４０の各々を外壁に取り付け、点字セル１６．ｉの各々が電子機器回路に電気的に接続されるように電子機器回路５２を第１のハウジング部分１０に挿入した後で、点字ディスプレイを底壁１２によって閉じてもよい。
【００３６】
この例において、外壁は、点字ディスプレイのハウジングの一部を形成する。外壁は点字ディスプレイの外側頂壁の一部を形成することにもなる。点字ディスプレイは、この例においては、コンピュータのキーボードと同様に水平な平面に置かれ、視覚障害者が点字読み取り行を読み取ることができるユニットである。
【００３７】
ただし、点字ディスプレイは、複数の点字読み取り行を備えることも可能であり、あるいは点字ディスプレイは、その触覚部材が触覚部材の二次元配列、例えば、画像の形成に適した点字ディスプレイを提供するために５００×５００の触覚部材、を形成するように、互いに行列状に配置された複数の点字セルを備えることも可能である。その場合、各点字セルは、例えば８つの触覚部材を引き続き備えることもできる。
【００３８】
この例においても、各点字セルは外壁に個別に取り付けられることになる。例えば、点字セル１６．１，１６．３，１６．５，．．．．．１６．３９のみを上記のように個別に外壁に取り付け、残りの点字セル１６．２，１６．４，．．．１６．４０は外壁に個別に取り付けられた点字セルに取り付けることも可能である。例えば、その場合、点字セル１６．２を点字セル１６．１および１６．３に接着剤、接着テープ、および／または他の種類の接続によって取り付けてもよい。
【００３９】
相互に取り付けられた本体５３と中間体５４とによって外壁を形成することも可能である。その場合、各点字セルは、中間体に取り付けられる。中間体５４は、外壁に取り付けられる。一例が図７ａおよび図７ｂに示されている。この例において、中間体は条片５４．１の形態である。各条片は８つの穴５６．ｉ（ｉ＝１，２，．．８）を備え、同一の点字セルからの全ての触覚部材は同じ１つの穴を通って延在しうる。換言すると、各穴５６は１つの点字セルに対応付けられている。条片５４は、この例においては金属条片である。条片５４は、本体の内面７２に直接あてがわれる。中間体５４によって覆われない本体の内面部分７０は、外壁の内面の一部を形成する。条片は、この例においては、複数の開口部５８を有し、これらの開口部５８に本体１の複数の突起６０（この例においては十字形状を有する）を貫通延在させて、条片と本体とを互いに締め付ける。さらに、または代わりに、条片を本体の内面に接着してもよい。この場合も、条片は本体に直接取り付けられる。条片を接着テープによって内面に取り付けることも可能である。条片５４は、縁部４２および４４に対応する形状の直立した縁部６２、６４を有し、図１〜図６を参照して説明したように溝部４６を備える。図７ａに示すように条片５４．１が外壁２に取り付けられている場合は、同様の条片５４．２を条片５４．１に隣接して取り付けることができる。図７ｂには、条片５４．２を取り付け、条片５４．１を省く方法が示されている。図示のように、その後に点字セル１６．７〜１６．１４を、図１〜図６に関して説明したようにスナップ嵌合接続によって条片に直接取り付けることができる。換言すると、条片５４．２と本体との組み合わせは、図３ｂに図示し説明したように、条片の位置において外壁２と同様の輪郭および形状をもたらす。
【００４０】
この例においては、それぞれ８つの穴５６．を有する５つの条片が本体５３に取り付けられている。この理由は、外壁の穴のパターンは、外壁の製造工程中の温度変動により完全には規則的にならない場合がありうることが経験から分かっているからである。外壁は、射出成形によって製造されることが好ましい。この場合、プラスチック材料が型に射出される位置に応じて、穴の規則的パターンに僅かな狂いをもたらす温度プロファイルが発生しうる。中間体が３９個の穴と複数の上記開口部５８とを備えた１つの条片で構成される場合、このような狂いは、通常、条片には起こらず、そのためこの条片が正確に嵌まらない場合がありうる。換言すると、一方の突起の位置と他方の開口部とがぴったり合わない。同じことは、一方の穴１４の位置と他方の穴５６の位置にも当てはまる。この問題は、外壁の突起６０と穴４の多少不規則なパターンを補正するように条片を相互に多少不規則に位置決めして外壁に個々に容易に取り付けることができる複数の条片を使用することによって回避できる。
【００４１】
本発明は上記の実施形態に限定されるものではない。この例においては、点字セルは上記スナップ嵌合接続によって条片に直接取り付けられる。その場合、各点字セルは中間体に直接接触する。各点字セルを中間体に直接接着することも可能である。各点字セルを両面接着テープによって中間体に取り付けることも可能である。このような変形例は、すべて添付の特許請求の範囲に含まれるものとする。
【図１】
2011519058.tif 000003
【図２】
2011519058.tif 000004
【図３ａ】
2011519058.tif 000005
【図３ｂ】
2011519058.tif 000006
【図４ａ】
2011519058.tif 000007
【図４ｂ】
2011519058.tif 000008
【図５ａ】
2011519058.tif 000009
【図５ｂ】
2011519058.tif 000010
【図６ａ】
2011519058.tif 000011
【図６ｂ】
2011519058.tif 000012
【図７ａ】
2011519058.tif 000013
【図７ｂ】
2011519058.tif 000014
【国際調査報告】
2011519058.tif 000015
2011519058.tif 000016